(57)【要約】【課題】腰帯を他の帯状体にしっかりと固定することができると共に位置調節可能な安全帯の腰帯固定具を提供する。【解決手段】帯状体で構成される安全帯の腰帯を他の帯状体に固定する安全帯の腰帯固定具であって、腰帯の長手方向に直行する方向に延びて腰帯に沿うように配置される橋部１８と、橋部１８の両端側から橋部１８の中央に向かって突出し、橋部１８に対して腰帯の長手方向に間隔を存して配置された橋爪部１８ａと、橋部１８に対して橋部１８と腰帯とが重なる方向に間隔を存して配置され、橋部１８の長手方向に対して交わる方向に延びる押え部１９と、押え部１９の両端側から押え部１９の中央に向かって突出し、押え部１９に対して橋部１８の長手方向に間隔を存して配置された押え爪部１９ａと、を備える。【選択図】図３
2016077572.tif 000002
【特許請求の範囲】
【請求項１】
帯状体で構成される安全帯の腰帯を他の帯状体に固定する安全帯の腰帯固定具であって、
前記腰帯の長手方向に直行する方向に延びて前記腰帯に沿うように配置される橋部と、
前記橋部の両端側から前記橋部の中央に向かって突出し、前記橋部に対して前記腰帯の長手方向に間隔を存して配置された橋爪部と、
前記橋部に対して前記橋部と前記腰帯とが重なる方向に間隔を存して配置され、前記橋部の長手方向に対して交わる方向に延びる押え部と、
前記押え部の両端側から前記押え部の中央に向かって突出し、前記押え部に対して前記橋部の長手方向に間隔を存して配置された押え爪部と、
を備えることを特徴とする安全帯の腰帯固定具。
【請求項２】
請求項１に記載の安全帯の腰帯固定具であって、
１枚の板材を打ち抜いて形成されるものであり、
前記橋部の両端側から折り返すように屈曲させて、一対の前記押え部と前記押え爪部とが、前記橋部に対して前記橋部と前記腰帯とが重なる方向に間隔を存して配置されることを特徴とする安全帯の腰帯固定具。
【発明の詳細な説明】
【技術分野】
【０００１】
本発明は、安全帯の腰帯固定具に関する。
【背景技術】
【０００２】
従来、安全帯として、例えば、高い場所で作業する作業員（装着者）に命綱を付けて装着される所謂フルハーネス型の安全帯であり、装着者の両肩に夫々掛け回される一対の肩帯と、装着者の両腿に夫々巻き回される一対の腿帯と、腰帯（腰ベルト）とを備えるものが知られている（例えば、特許文献１参照）。
【先行技術文献】
【特許文献】
【０００３】
【特許文献１】特開２００５−３４２３０８号公報
【発明の概要】
【発明が解決しようとする課題】
【０００４】
安全帯の腰帯には工具等をぶら下げる場合があり比較的荷重が加わり易く安全帯の他の帯状体にしっかりと固定される必要がある。逆に、安全帯は装着者の身体に合わせて調節されるため、腰帯を他の帯状体に完全に固定してしまうと装着者の身体によっては腰帯の位置が適切な位置とならない場合がある。このため、腰帯の位置はある程度調節可能であることが望ましい。
【０００５】
本発明は、以上の点に鑑み、腰帯を他の帯状体にしっかりと固定することができると共に位置調節可能な安全帯の腰帯固定具を提供することを目的とする。
【課題を解決するための手段】
【０００６】
上記目的を達成するため、本発明は、
帯状体で構成される安全帯の腰帯を他の帯状体に固定する安全帯の腰帯固定具であって、
前記腰帯の長手方向に直行する方向に延びて前記腰帯に沿うように配置される橋部と、
前記橋部の両端側から前記橋部の中央に向かって突出し、前記橋部に対して前記腰帯の長手方向に間隔を存して配置された橋爪部と、
前記橋部に対して前記橋部と前記腰帯とが重なる方向に間隔を存して配置され、前記橋部の長手方向に対して交わる方向に延びる押え部と、
前記押え部の両端側から前記押え部の中央に向かって突出し、前記押え部に対して前記橋部の長手方向に間隔を存して配置された押え爪部と、
を備えることを特徴とする。
【０００７】
本発明によれば、橋部と橋爪部とで腰帯固定具と腰帯とをしっかりと固定することができる。また、押え部と押え爪部とで腰帯固定具と安全帯を構成する腰帯以外の他の帯状体とをしっかりと固定することができる。また、腰帯と腰帯固定具とは橋爪部と腰帯との係合を解除することにより取り外すことができる。また、他の帯状体と腰帯固定具とは押え爪部と他の帯状体との係合を解除することにより取り外すことができる。従って、本発明によれば、腰帯を他の帯状体にしっかりと固定することができると共に腰帯の位置調節も容易となる。
【０００８】
また、押え部及び押え爪部が橋部に対して橋部と腰帯とが重なる方向に間隔を存して配置されている。このため、本発明によれば、橋部と押え部とが同一平面上にある場合と比較して、腰帯固定具と装着者との接触面積を低減することができる。また、押え部及び押え爪部が橋部に対して橋部と腰帯とが重なる方向に間隔を存して配置されているため、腰帯または他の帯状体を腰帯固定具に固定するときに、他の帯状体または腰帯が邪魔になることを抑制することができ、取り付け作業が容易となる。
【０００９】
また、本発明の安全帯の腰帯固定具は、１枚の板材を打ち抜いて形成することもできる。この場合、橋部の両端側から折り返すように屈曲させて、一対の押え部と押え爪部とが、橋部に対して橋部と腰帯とが重なる方向に間隔を存して配置されるように構成することができる。
【００１０】
かかる構成によれば、一対の押え部及び押え爪部によって、腰帯固定具と他の帯状体とを更にしっかりと固定することができる。また、１枚の板材を打ち抜いて構成することにより、複数部材を組み合わせて構成した場合と比較して、腰帯固定具の強度を向上させることができる。また、一対の押え部及び押え爪部は、橋部の両端で折り返されるように屈曲して配置されている。このため、他の帯状体が延びる方向には、腰帯固定具の縁部が存在せず、腰帯固定具の縁部が装着者に接触して不快感を与えることを抑制することができる。
【図面の簡単な説明】
【００１１】
【図１】本発明の腰帯固定具を適用した安全帯の実施形態を示す正面図。
【図２】本実施形態の安全帯を示す背面図。
【図３】図３Ａは本実施形態の腰帯固定具を示す正面図。図３Ｂは本実施形態の腰帯固定具を示す右側面図。図３Ｃは本実施形態の腰帯固定具を示す背面図。
【発明を実施するための形態】
【００１２】
図１から図３を参照して本発明の帯体固定具を適用した安全帯の実施形態を説明する。図１に示すように、本実施形態の安全帯１は、高い場所で作業する作業員（装着者）に命綱を付けて装着される所謂フルハーネス型のものであり、装着者の両肩に夫々掛け回される一対の肩帯２，３と、装着者の両腿に夫々巻き回される一対の腿帯４，５と、装着者の腰に巻き回される腰帯６とを備える。
【００１３】
一対の肩帯２，３は、同一の帯状の帯状体で構成されており、帯状体の中央部を装着者の背中に位置する背面バックル７を介してＶ字状に折り返して構成される。背面バックル７はＤ環８（アンカーリング）の位置決めとしてのＤ環止めとしての機能を備える。また、本実施形態の背面バックル７では、Ｄ環８が一体に構成されて８字状となっている。
【００１４】
また、背面バックル７には、下方に垂下する背帯９が設けられている。背帯９の下方の端部には、連結環１０が設けられている。この連結環１０には、一対の腿帯４，５の後方部に両端が夫々摺動自在に連結される脚帯１１が設けられている。脚帯１１は、肩帯２，３と同様に、その中央部で連結環１０に連結されてＶ字状に折り返されている。
【００１５】
一対の肩帯２，３及び背帯９の上端部には、装着者との間で緩衝作用をもたらすＹ字状の肩パット１２が設けられている。これにより、背面バックル７が直接装着者に接触することを防止すると共に、装着者の肩にかかる負担を軽減させることができる。また、肩パット１２が肩帯２，３及び背帯９に沿ったＹ字状であるため、装着するときに肩帯２，３及び背帯９が捩れ難くなり装着が容易となる。
【００１６】
脚帯１１及び背帯９の下端部には、装着者との間で緩衝作用をもたらすＹ字状の腰パット１３が設けられている。これにより、連結環１０が装着者に直接接触することを防止できる。また、腰パット１３が脚帯１１及び背帯９に沿ったＹ字状であるため、装着するときに脚帯１１及び背帯９が捩れ難くなり、安全帯の装着が容易となる。
【００１７】
一対の腿帯４，５の前方部には、上方に向かって延びる左右一対の前帯１４，１５の下端が夫々固定されている。
【００１８】
肩帯２，３の端部には、前帯１４，１５の長さを調節自在に係止可能な長さ調節バックル１６が設けられている。
【００１９】
図１に示すように、腰帯６と右前帯１４とは腰帯固定具１７を介して連結される。図３Ａは腰帯固定具１７の正面図、図３Ｂは腰帯固定具１７の右側面図、図３Ｃは腰帯固定具１７の背面図である。図３に示すように、腰帯固定具１７は、橋部１８と、一対の押え部１９とを備える。
【００２０】
橋部１８は腰帯６の長手方向に直行する方向（図３Ａの上下方向）に延びて腰帯６の幅方向に沿うように配置される。橋部１８の上下方向の両端部には、幅が広がった幅広部１８ｂが設けられている。幅広部の幅方向両端部内側には、橋部１８の中央に向かって突出し、橋部１８に対して腰帯６の長手方向に間隔を存して配置された橋爪部１８ａが夫々一対設けられている。
【００２１】
押え部１９は、橋部１８の両端側から折り返すように屈曲されて、一対の押え部１９が、橋部１８に対して橋部１８と腰帯６とが重なる方向に間隔を存して配置されている。押え部１９は腰帯６の長手方向に長い長方形の環状に形成されている。押え部１９の長手方向の両端部には、内側に向かって突出する押え爪部１９ａが夫々設けられている。
【００２２】
他の帯状体としての右前帯１４は、一対の環状の押え部１９の中に右前帯１４を押し込むようにして押え爪部１９ａが右前帯１４の背面に回り込むことにより、腰帯固定具１７と連結、固定される。
【００２３】
腰帯６は、橋部１８の正面に配置させた状態で、橋部１８の両側に位置する橋爪部１８ａが腰帯６の正面に出るように、腰帯６を図３Ａの上下方向に対向する橋爪部１８ａの間に押し込み、橋爪部１８ａが腰帯６の正面に回り込むことにより、腰帯固定具１７と連結、固定される。
【００２４】
本実施形態の腰帯固定具１７によれば、橋部１８と橋爪部１８ａとで腰帯固定具１７と腰帯６とをしっかりと固定することができる。また、押え部１９と押え爪部１９ａとで腰帯固定具１７と安全帯１を構成する腰帯以外の他の帯状体としての右前帯１４とをしっかりと固定することができる。
【００２５】
また、腰帯６と腰帯固定具１７とは、橋爪部１８ａと腰帯６との係合を解除することにより取り外すことができる。また、他の帯状体としての右前帯１４と腰帯固定具１７とは、押え爪部１９ａと右前帯１４との係合を解除することにより取り外すことができる。従って、本実施形態の腰帯固定具１７によれば、腰帯６を他の帯状体としての右前帯１４にしっかりと固定することができると共に、腰帯６の位置調節も容易となる。
【００２６】
また、押え部１９及び押え爪部１９ａが橋部１８に対して、橋部１８と腰帯６とが重なる方向に間隔を存して配置されている。このため、本実施形態の腰帯固定具１７によれば、橋部と押え部とが同一平面上に配置される場合と比較して、腰帯固定具１７と装着者との接触面積を低減させて、装着者が比較的固い腰帯固定具１７と接触することで感じる不快感を抑制させることができる。
【００２７】
また、押え部１９と押え爪部１９ａが橋部１８に対して橋部１８と腰帯６とが重なる方向に間隔を存して配置されているため、腰帯６または他の帯状体としての右前帯１４を腰帯固定具１７に固定するときに、右前帯１４または腰帯６が邪魔になることを抑制することができ、腰帯固定具１７の取り付け作業が容易となる。
【００２８】
また、本実施形態の腰帯固定具１７は、一枚の金属製の板材を打ち抜いて、橋部１８の両端側から押え部１９を折り返すように屈曲させて、押え部１９が橋部１８に対して橋部１８と腰帯６とが重なる方向に間隔を存して配置させて構成される。
【００２９】
このように、１枚の金属製の板材を打ち抜いて形成することにより、複数部材を組み合わせて腰帯固定具１７を構成した場合と比較して、腰帯固定具１７の強度を向上させることができる。
【００３０】
また、一対の押え部１９及び押え爪部１９ａは、橋部１８の両端で折り返されるように屈曲して配置される。このため、この折り返された屈曲部分には、腰帯固定具１７の縁部が存在せず、腰帯固定具の縁部が装着者に接触して不快感を与えることを抑制することができる。
【００３１】
なお、本実施形態においては、１枚の金属製の板材を打ち抜いて形成された腰帯固定具１７を説明したが、本発明の腰帯固定具はこれに限らず、複数部材で構成してもよい。これによっても、本発明の腰帯固定具は、しっかりと固定することができ、位置調節も可能で、装着者への接触面積が少ないという本発明の作用効果を奏することができる。
【００３２】
また、本実施形態においては、押え部１９は、橋部１８の両端に設けたものを説明したが、本発明の押え部はこれに限らず、一方の端部側にのみ設けてもよい。この場合、押え部にもう１つの押え部を連続して接続させてもよい。
【００３３】
また、本実施形態においては、腰帯固定具１７を右前帯１４に設けたものを説明したが、本発明の腰帯固定具の適用箇所としてはこれに限らない。例えば、左前帯１５にも本発明の腰帯固定具を適用することができる。
【００３４】
また、本実施形態の橋部１８はＩ字状に構成しているが、押え部１９のように環状に構成してもよい。この場合、橋部１８に隣接する橋爪部は、押え爪部１９ａのように環状部分の対向する端部から中央に向かって突出するように形成すればよい。
【００３５】
また、本実施形態の押え部１９は環状に構成しているが、橋部１８のようにＩ字状に構成してもよい。この場合、Ｉ字状の押え部に隣接する押え爪部は、図３Ａに示した橋爪部１８ａのように、Ｉ字状の押え部の両端部分に中心に向かって対向するように突出する一対の爪橋部をＩ字状の押え部を挟み込むように設ければよい。
【符号の説明】
【００３６】
１  安全帯
２  右肩帯
３  左肩帯
４  左腿帯
５  右腿帯
６  腰帯
７  背面バックル
８  Ｄ環（アンカーリング）
９  背帯
１０  連結環
１１  脚帯
１２  Ｙ字状肩パット
１３  Ｙ字状腰パット
１４  右前帯
１５  左前帯
１６  長さ調節バックル
１７  腰帯固定具
１８  橋部
１８ａ  橋爪部
１８ｂ  幅広部
１９  押え部
１９ａ  押え爪部
【図１】
2016077572.tif 000003
【図２】
2016077572.tif 000004
【図３】
2016077572.tif 000005